(57)【要約】【課題】  本発明はハードディスクや磁気テープ等の磁気記録媒体を複数取付台に取り付けて着磁装置に装着することによって、磁気記録媒体に効率よく着磁を行い、確実に磁気記録媒体の磁気データの消去を行う磁気データ消去装置を提供するものである。【解決手段】  磁気記録媒体の着磁装置であって、所定の角度を有する取付台を備え、該取付台に記録媒体が取り付けられ、該取付台の前後に磁界強度の低下の影響及び磁束角度の変化を回避するための鉄板を備えた取付台固定部と、着磁コイルによって覆われ、該着磁コイルの中空部に前記取付台固定部を収納する着磁部と、該着磁コイルに電流を流し、励磁される磁界によって前記記録媒体に記録されたデータの消去を行なう制御部と、を有することを特徴とする。【選択図】  図１
2016115383.tif 000002
【特許請求の範囲】
【請求項１】
所定の角度を有する取付台を備え、該取付台に磁気記録媒体が取り付けられ、該取付台の前後に磁界強度の低下の影響及び磁束角度の変化を回避するための鉄板を備えた取付台固定部と、
着磁コイルによって覆われ、該着磁コイルの中空部に前記取付台固定部を収納する着磁部と、
該着磁コイルに電流を流し、励磁される磁界によって前記磁気記録媒体に記録されたデータの消去を行なう制御部と、
を有することを特徴とする磁気データ消去装置。
【請求項２】
前記磁気記録媒体は磁気ディスク装置又は磁気テープであることを特徴とする請求項１に記載の磁気データ消去装置。
【請求項３】
前記取付台固定部の前後に一定長の幅を確保し、該幅内に前記鉄板が位置することを特徴とする請求項１、又は２に記載の磁気データ消去装置。
【請求項４】
前記取付台固定部には複数の前記取付台が設けられ、該取付台に前記磁気ディスク装置又は磁気テープが配置されることを特徴とする請求項１、２、又は３に記載の磁気データ消去装置。
【請求項５】
前記磁気記録媒体が取り付けられる取付台固定部は前記中空部を貫通して、少なくとも一方向に移動可能であり、前記取付台固定部に設置された磁気記録媒体が前記中空部を前記一方向に通過する際、磁気データの消去が行われる特徴とする請求項１、２、３、又は４に記載の磁気データ消去装置。
【発明の詳細な説明】
【技術分野】
【０００１】
本発明は、磁気ディスク装置や磁気テープ等の磁気記録媒体に記録された磁気データを消去する磁気データ消去装置に関する。
【背景技術】
【０００２】
今日、企業や個人で使用した磁気ディスク装置を廃棄する場合、記録媒体に記録された情報を第三者に知られないため、例えばコンピュータに接続した状態で、しばしばオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁石による水平方向の磁界を付与し、データ消去を行うデータ消去装置の発明である。
【０００５】
また、最近磁気ディスク装置に対して垂直方向の磁界をかけ、データを記憶する垂直磁気記録方式が採用されている。この方式は、従来の記録方式（特許文献１の記録方式）である面内記録方式に比べてデータの記録密度を高めることができ、広く採用されている。
【０００６】
このため、磁気ディスク装置に記録されたデータを消去する際、記録方式が判らない場合も多く、水平／垂直の２つの記録方式に対応する為、データ消去装置を操作し、水平方向の磁界を磁気ディスク装置に付与し、その後更に垂直方向の磁界を磁気ディスク装置に付与する操作を行っている。また、磁気ディスク装置をデータ消去装置内に傾けてセットし、磁界をかけて磁気ディスク装置に記録されたデータを消去する方法も提案されている。
【先行技術文献】
【特許文献】
【０００７】
【特許文献１】特開２００７−６６４３９号公報
【発明の概要】
【発明が解決しようとする課題】
【０００８】
しかしながら、磁気ディスク装置をデータ消去装置内に傾けてセットして行う磁気データ消去方法においても、磁気ディスク装置の挿入方向に対して漏れ磁束が大きく、効率よく磁気記録媒体を着磁することができず、磁気記録媒体のデータ消去の障害になっている。
【０００９】
そこで、本発明は上記課題に鑑み、磁気ディスク装置や磁気テープ等の磁気記録媒体への着磁を効率よく行い、確実に磁気ディスク装置や磁気テープ等の磁気記録媒体のデータ消去を可能とする磁気データ消去装置を提供するものである。
【課題を解決するための手段】
【００１０】
上記課題は第１の発明によれば、所定の角度を有する取付台を備え、該取付台に記録媒体が取り付けられ、該取付台の前後に磁界強度の低下の影響及び磁束角度の変化を回避するための鉄板を備えた取付台固定部と、着磁コイルによって覆われ、該着磁コイルの中空部に前記取付台固定部を収納する着磁部と、該着磁コイルに電流を流し、励磁される磁界によって前記記録媒体に記録されたデータの消去を行なう制御部と、を有する磁気データ消去装置を提供することによって達成できる。
【００１１】
また、上記課題は第２の発明によれば、上記記録媒体は磁気ディスク装置又は磁気テープであり、例えば上記取付台固定部には複数の前記取付台が設けられ、該取付台に上記磁気ディスク又は磁気テープが配置されることを特徴とする。
【００１２】
また、上記課題は第３の発明によれば、上記取付台固定部の前後に一定長の幅を確保し、該幅内に前記鉄板が位置することを特徴とする。
【発明の効果】
【００１３】
本発明によれば、前後に鉄板を設けた取付台固定部を使用し、磁気ディスク装置や磁気テープ等の磁気記録媒体を取付台に取り付けて着磁装置に装着することによって、漏れ磁束を減らし、磁気記録媒体に効率よく着磁を行い、確実に磁気記録媒体の磁気データの消去を行うことができる。
【図面の簡単な説明】
【００１４】
【図１】本実施形態の磁気記録媒体の着磁装置の構成を説明する図であり、着磁装置の正面図である。
【図２】蓋部が開放された状態を示す着磁装置の構成図である。
【図３】取付台固定部を正面上部から視た図である。
【図４】取付台固定部を側方から視た図である。
【図５】第１の実施形態を説明する図であり、取付台固定部の取付台にデータ消去を行なう複数のハードディスクを取り付けた状態を示す図である。
【図６】着磁装置の内部構造を説明する図である。
【図７】第２の実施形態を説明する図であり、取付台固定部の取付台にデータ消去を行なう複数の磁気テープを取り付けた状態を示す図である。
【図８】第３の実施形態の磁気データ消去装置を説明する図である
【発明を実施するための形態】
【００１５】
以下、図面を参照しながら本発明の実施の形態について説明する。
（第１の実施形態）
先ず第１の実施形態について説明する。
図１は本実施形態の着磁装置（磁気データ消去装置）の外観図である。同図において、着磁装置１の正面には、操作表示部２、及び後述する引出収納部を収納する際開放する蓋部３が設けられている。操作表示部２には電源スイッチ４、電源ランプ５、警告表示ランプ６、液晶ディスプレイ７、操作開始ボタン８、及びチャージランプ９が配設されている。
【００１６】
電源スイッチ４は本例の着磁装置１の電源投入を行なうスイッチであり、電源スイッチ４をオンすることによって、電源ランプ５が点灯し、着磁装置１に電源供給が行われる。また、警告表示ランプ６は、例えば後述する温度センサによって予め設定された温度以上の温度を検出した場合や、後述する計測用巻線に流れる電流が異常な場合、更に駆動回路の異常等、着磁装置１に問題が生じた際に点灯する。また、液晶ディスプレイ７には、上記警告表示ランプ６が点灯した際の警告情報等の表示が行なわれる。
【００１７】
操作開始ボタン８はハードディスク等の磁気記録媒体を着磁装置１内に収納した後、操作するボタンであり、このボタン操作によって磁気記録媒体に記憶されたデータが消去される。尚、チャージランプ９は操作ボタン８の操作後、例えば不図示のコンデンサに次の磁気記録媒体の着磁処理に必要な電力が充電される間点灯するランプである。
扉部３は着磁装置１に引出収納部を収納する際開放する扉であり、左右に取手１０が設けられている。例えば、ユーザがこの取手１０を握って手前に引くと、扉部３が前方に開く。図２は着磁装置１の扉部３が開いた状態を示す図である。尚、同図に示す状態は、着磁装置１の内部に引出収納部１２が収納されている状態を示す。
【００１８】
図３は着磁装置１に着脱自在に構成された引出収納部１２を正面上部から視た図であり、図４は引出収納部１２を側方から視た図であり、引出収納部１２の前面に取手１３が設けられている。ユーザはこの取手１３を持って、引出収納部１２を着磁装置１に装着する。引出収納部１２には両図に示すように、磁気記録媒体であるハードディスクの取付台１４ａ、１４ｂ、１４ｃが引出収納部１２の手前から順次配設されている。また、取付台１４ａ、１４ｂ、１４ｃの角度は任意の所定角度に設定されている。但し、この取付台１４ａ、１４ｂ、１４ｃの設置角度は９０°であってもよく、またより水平に近い角度に設定されていてもよい。
【００１９】
尚、磁気記録媒体として磁気テープを使用する例については、後述する第２の実施形態において説明する。
【００２０】
図５は引出収納部１２の取付台１４ａ、１４ｂ、１４ｃにデータ消去を行なうハードディスクを取り付けた状態を示す。それぞれの取付台１４ａ、１４ｂ、１４ｃには、同図に示すように２台ずつハードディスクが取り付けられ、不図示の機構によってそれぞれの取付台１４ａ、１４ｂ、１４ｃに固定される。
【００２１】
また、同図に示すLは後述する一定長を示し、引出収納部１２の両端からの長さ（所謂のりしろ）を示し、この一定長Lに含まれる領域にはハードディスク（ＨＤＤ）がセットされないよう、取付台１４ａ、１４ｂ、１４ｃの設計を行なう。
【００２２】
ここで、本実施形態の引出収納部１２には収納方向の前後に鉄板２３、２４が取り付けられている。図４及び図５に本例の鉄板２３、２４が取り付けられた状態を示す。この鉄板２３、２４の配設位置は、上記引出収納部１２の両端からの長さ（所謂のりしろ）L内の任意の位置に取り付けられる。
尚、鉄板２３、２４に代えて後述する磁気着磁コイルによって形成される磁界強度の低下の影響及び磁束角度の変化を回避できる材料であれば利用可能である。
【００２３】
図６は本実施形態の装置内部の構造を説明する図である。同図に示すように、内部は着磁コイル形成部１５、上記引出収納部１２が装着される中空部１６、及び放熱板１７で構成されている。着磁コイル形成部１５には巻線が施され、巻線の両端はリード線１８、１９を介して不図示の電力供給回路に接続されている。
【００２４】
中空部１６は上記引出収納部１２が収納可能な大きさであり、この中空部１６には着磁コイルによって磁界が形成され、同図の正面から裏面に向かって、又は裏面から正面に向かって、磁界が形成される。したがって、引出収納部１２に前述の鉄板２３、２４が配設されている場合、上記中空部１６に引出収納部１２が収納されると、鉄板２３、２４は図６の正面及び裏面に位置することになる。すなわち、引出収納部１２の取手１３に近い箇所に配設された鉄板２３は図６の正面を覆うように位置し、引出収納部１２の奥に配設された鉄板２４は図６の裏面を覆うように位置する。
【００２５】
一方、上記着磁コイル形成部１５の上層には、例えば１〜２Ｔの計測用巻線２０が施されている。この計測用巻線２０は着磁コイル形成部１５によって形成される磁束密度を測定するコイルであり、測定データは不図示のリード線を介して制御部に供給される。尚、この計測用巻線２０に流れる電流は前述の着磁装置１の正面に設けられた不図示の表示ランプを点灯させ、着磁処理が行われていることをユーザに知らせる。
【００２６】
放熱板１７は上記着磁コイル形成部１５の上面及び下面に当接して配設され、固定手段  ２１によって着磁コイル形成部１５に固定されている。
【００２７】
以上のように構成された着磁装置１において、ハードディスクのデータを消去する際には、先ず引出収納部１２を着磁装置１から引き出し、図５に示すようにそれぞれの取付台１４ａ、１４ｂ、１４ｃにハードディスクを取り付ける。したがって、本例の着磁装置１では、６台のハードディスクが引出収納部１２にセットされる。
【００２８】
次に、引出収納部１２の取手１３を持って、ハードディスクが収納された引出収納部１２を着磁装置１の所定位置に装着し、扉部３を閉じる。
【００２９】
この状態で操作ボタン８を操作し、不図示の電流供給回路から着磁コイル１５に電流を流し、着磁コイル１５を励磁し、着磁装置１の中空部１６に磁界を形成する。この磁界は、例えば着磁装置１の裏面から正面に向けて形成され、中空部１６に収納された引出収納部１２内のハードディスクには水平方向に対して所定の角度で磁束が通過する。
【００３０】
このため、ハードディスクは着磁され、ハードディスクに記録されたデータは消去される。このとき、水平方向に対して所定の角度で磁束が通過するため、垂直磁気記録方式のハードディスクであっても、面内記録方式のハードディスクであっても効果的にデータを消去することができる。
【００３１】
さらに、本例の装置では前述のように、引出収納部１２に鉄板２３、２４が取り付けられており、この鉄板２３、２４は引出収納部１２を中空部１６に装着した際、図６に示す着磁コイル形成部１５の正面及び裏面を覆うことになる。前述のように、中空部１６には正面から裏面に向かって、又は裏面から正面に向かって磁界が形成され、この場合、着磁コイル形成部１５の両端が鉄板２３、２４によって閉口されることになる。したがって、鉄板２３、２４が取り付けられていない場合に形成される開口部からの漏れ磁束を防止することができる。
【００３２】
すなわち、本例によれば鉄板２３、２４を設けることによって、着磁コイル形成部１５の両側、即ち中空部１６の両側の磁束密度の低下を防止し、より確実に着磁処理を行い、効率よくハードディスクのデータ消去を行うことができる。
以上のように、本例では着磁コイル形成部１５の両側における磁界強度の低下を防止し、効率よく着磁を行い、確実にハードディスクのデータ消去を行うことができる。
【００３３】
次に、本発明の第２の実施例について説明する。
上記実施例の説明では、磁気記録媒体としてハードディスクについて説明したが、本例では磁気記録媒体として磁気テープを取り付けた場合について説明する。
【００３４】
図７は本実施形態を説明する図であり、本例においては磁気記録媒体である磁気テープの取付台２６ａ、２６ｂ、２６ｃが引出収納部２５の手前から順次配設されている。この取付台２６ａ、２６ｂ、２６ｃの角度は前述のように所定角度に設定されている。但し、この取付台２６ａ、２６ｂ、２６ｃの設置角度は９０°であってもよく、またより水平に近い角度に設定されていてもよい。
【００３５】
同図に示すように、それぞれの取付台２６ａ、２６ｂ、２６ｃは水平面（引出収納部２５の底面）に対して所定角度に設置されており、それぞれの取付台２６ａ、２６ｂ、２６ｃに取り付けられた磁気テープも水平面に対して所定の角度にセットされる。
【００３６】
また、同図に示すLは一定長を示し、前述と同様、引出収納部２５の両端からの長さ（所謂のりしろ）を示し、この一定長Lに含まれる領域には磁気テープがセットされないよう、取付台２６ａ、２６ｂ、２６ｃが設計されている。
【００３７】
ここで、本実施形態の引出収納部２５においても、装着方向の前後に鉄板２７、２８が取り付けられている。この鉄板２７、２８の配設位置も、前述の実施形態と同様、引出収納部２５の両端からの長さ（所謂のりしろ）Lの中の任意の位置に取り付けられる。
尚、鉄板２７、２８に代えて磁気着磁コイル１５によって形成される磁界強度の低下の影響及び磁束角度の変化を回避できる材料であれば利用可能である。
尚、本例においても、着磁装置１の内部構造は前述の図６に示す構造と同様であり、中空部１６は上記引出収納部２５が収納可能な大きさであり、この中空部１６に磁気テープがセットされた引出収納部２５が装着される。
【００３８】
前述のように、この中空部１６には着磁コイルによって磁界が形成され、同図の正面から裏面に向かって、又は裏面から正面に向かって、磁界が形成される。したがって、引出収納部２５に上記鉄板２７、２８が配設されているので、上記中空部１６に引出収納部２５が収納されると、鉄板２７、２８は図６の正面及び裏面に位置することになる。すなわち、引出収納部２５の取手１３に近い箇所に配設された鉄板２７は図６の正面を覆うように位置し、引出収納部２５の奥に配設された鉄板２８は図６の裏面を覆うように位置する。
【００３９】
以上のように構成された着磁装置１において、磁気テープに記憶されたデータを消去する際には、前述と同様、先ず引出収納部２５を装置から引き出し、図７に示すようにそれぞれの取付台２６ａ、２６ｃ、２６ｃに磁気テープを取り付ける。したがって、本例の場合も、６個の磁気テープが引出収納部２５にセットされる。
【００４０】
次に、磁気テープが収納された引出収納部２５を装置の所定位置に装着し、以後前述と同様、操作ボタン８を操作し、不図示の電流供給回路から着磁コイル１５に電流を流し、着磁コイル１５を励磁し、中空部１６に磁界を形成する。この磁界は、例えば裏面から正面に向けて形成され、中空部１６に収納された引出収納部２５内の磁気テープの水平方向に対して所定の角度で磁束が通過する。
【００４１】
この為、磁気テープは着磁され、磁気テープに記録されたデータは消去される。このとき、着磁コイル形成部１５の両端が鉄板２７、２８によって閉口されることになる。したがって、鉄板２７、２８が取り付けられていない場合のように、この開口部からの漏れ磁束を防止することができる。
【００４２】
したがって、磁気テープを使用する場合でも鉄板２７、２８を設けることによって、着磁コイル形成部１５の両側、即ち中空部１６の両側の磁束密度の低下を防止し、より確実に着磁処理を行い、効率よく磁気テープのデータ消去を行うことができる。
【００４３】
また、上記実施形態の説明では、図５に示すように取付台１４ａ、１４ｂ、１４ｃにそれぞれ２台ずつハードディスク、又は磁気テープを取り付け、合計６台のハードディスク、又は磁気テープを引出収納部１２（２５）にセットできるように構成したが、引出収納部１２（２５）の３箇所に取付台１４を設置する場合だけでなく、引出収納部１２（２５）の２箇所に取付台１４を設置してもよく、また４箇所以上取付台１４を設置してもよい。
【００４４】
さらに、１つの取付台１４に１台のハードディスク、又は磁気テープを取り付ける構成としてもよく、また上記実施形態の説明では、ハードディスク、又は磁気テープを取り付ける取付台１４ａ、１４ｂ、１４ｃを引出収納部１２（２５）に設ける構成としたが、取付台固定部としては引出収納部１２（２５）に限定される訳ではなく、前述の中空部１６に予め設置された取付台にハードディスク、又は磁気テープを直接取り付ける取付台固定部構成としてもよい。
【００４５】
次に、本発明の第３の実施例について説明する。
上記実施形態の説明では、ハードディスクや磁気テープ等の磁気記録媒体を取り付ける取付台１４ａ、１４ｂ、１４ｃ（２６ａ、２６ｃ、２６ｃ）を引出収納部１２に設ける構成としたが、取付台固定部としては引出収納部１２（２５）に限定される訳ではなく、前述の中空部１６に予め設置された取付台にハードディスクや磁気テープ等の磁気記録媒体を直接取り付ける取付台固定部構成としてもよい。
【００４６】
また、例えばベルトコンベア式の取付台固定部を設置し、取付台固定部の取付台に順次ハードディスクや磁気テープ等の磁気記録媒体を取り付け、中空部１６の手前から奥側へ、又は奥側から手前に連続してハードディスクや磁気テープ等の磁気記録媒体のデータ消去を自動的に行なうように構成してもよい。
【００４７】
図８は上記構成の磁気データ消去装置を説明する図である。尚、同図に示す磁気データ消去装置はハードディスクや磁気テープ等の磁気記録媒体を取り付ける取付台を２個設けた取付台固定部を使用した例であり、ベルトコンベア式の取付台固定部３０の例を示す。
【００４８】
同図に示すように、ベルトコンベア式の取付台固定部３０は矢印方向に移動可能に構成され、取付台固定部３０に設けられた取付台３０ａ、３０ｂにはハードディスクや磁気テープ等の磁気記録媒体が順次設置され、取付台固定部３０の矢印方向への移動に従って磁気データ消去装置（着磁装置１）の中空部１６に搬入される。また、取付台固定部３０には一定の間隔で鉄板３１、３２が設けられている。このような構成において、中空部１６に搬入された磁気記録媒体は前述と同様、磁力によって着磁され、磁気データの消去が行われる。
【００４９】
本例においては、矢印方向に移動するベルトコンベア式の取付台固定部３０の取付台３０ａ、３０ｂにハードディスクや磁気テープ等の磁気記録媒体を順次載せることによって連続的に行われる。したがって、本例の磁気データ消去装置によれば、効率よく磁気記録媒体のデータ消去を行うことができる。
【００５０】
具体的には、データ消去処理を行うタイミングにおいて、着磁コイル形成部１５の両端が鉄板３１、３２によって閉口される位置に移動するように、取付台固定部３０の移動を制御する。したがって、鉄板３１、３２を所定間隔で設け、上記のように取付台固定部３０の移動を制御することによって、着磁コイル形成部１５の両端が鉄板３１、３２によって閉口されるタイミングで磁気記録媒体のデータ消去を行い、着磁コイル形成部１５の両側、即ち中空部１６の両側の磁束密度の低下を防止し、より確実に着磁処理を行い、より効率よく磁気テープのデータ消去を行うことができる。
【００５１】
尚、上記例ではベルトコンベア式の取付台固定部３０を図８の手前から奥側に移動するように説明したが、奥側から手前に連続して取付台固定部３０を移動するように構成してのよい。
【符号の説明】
【００５２】
１・・・着磁装置
２・・・操作表示部
３・・・蓋部
４・・・電源スイッチ
５・・・電源ランプ
６・・・警告表示ランプ
７・・・液晶ディスプレイ
８・・・操作開始ボタン
９・・・チャージランプ
１０・・取手
１２・・引出収納部
１３・・取手
１４、１４ａ、１４ｂ、１４ｃ・・取付台
１５、１５ａ、１５ｂ、１５ｃ・・着磁コイル形成部
１６・・中空部
１７・・放熱板
１８、１９・・リード線
２０・・計測用巻線
２１・・固定手段
２３、２４・・鉄板
２５・・引出収納部
２６ａ、２６ｂ、２６ｃ・・取付台
２７、２８・・鉄板
３０・・取付台固定部
３０ａ、３０ｂ・・取付台
３１、３２・・鉄板
【図１】
2016115383.tif 000003
【図２】
2016115383.tif 000004
【図３】
2016115383.tif 000005
【図４】
2016115383.tif 000006
【図５】
2016115383.tif 000007
【図６】
2016115383.tif 000008
【図７】
2016115383.tif 000009
【図８】
2016115383.tif 000010